(57)【要約】      （修正有）【課題】電池のためのクランプデバイスを有する電子式モジュールを備える腕時計を提供する。【解決手段】プレート２及び電池４によってパワー供給される電子式モジュール３を有するケース１と、電子式モジュール３に電池４を電気的に接続する導電体６、７と、及び電池４と導電体６、７の間の電気接続を確実にするクランプデバイスとを備える腕時計に関する。クランプデバイスは、磁石９、１０を有する。【選択図】図２
2018063244.tif 000002
【特許請求の範囲】
【請求項１】
プレート（２）及び電池（４）によってパワー供給される電子式モジュール（３）を有するケース（１）と、
前記電子式モジュール（３）に前記電池（４）を電気的に接続する導電体（６、７）と、及び
前記電池（４）と前記導電体（６、７）の間の電気接続を確実にするクランプデバイスとを備える腕時計であって、
前記クランプデバイスは、磁石（９、１０、１１、１２、１３）を有し、
前記磁石は、前記磁石と前記導電体（６、７）の間の導電性を確実にする
ことを特徴とする腕時計。
【請求項２】
前記導電体（６、７）は、フレキシブルである
ことを特徴とする請求項１に記載の腕時計。
【請求項３】
前記導電体（６、７）は、平型のケーブルである
ことを特徴とする請求項２に記載の腕時計。
【請求項４】
前記導電体（６、７）は、前記磁石（９、１０、１１、１２、１３）に固定される
ことを特徴とする請求項１〜３のいずれかに記載の腕時計。
【請求項５】
前記導電体（６、７）は、前記磁石（９、１０、１１、１２、１３）と前記電池（４）の間に配置される
ことを特徴とする請求項１〜４のいずれかに記載の腕時計。
【請求項６】
前記磁石（９、１０、１１、１２、１３）は、導電体（６、７）と電池（４）の間に配置される
ことを特徴とする請求項４に記載の腕時計。
【請求項７】
前記磁石（９、１０、１１、１２、１３）は、導電性面を有する
ことを特徴とする請求項１〜６のいずれかに記載の腕時計。
【請求項８】
前記磁石（９、１０、１１、１２、１３）は、導電材料で作られている
ことを特徴とする請求項７に記載の腕時計。
【請求項９】
前記磁石（９、１０、１１、１２、１３）は、金めっきされている
ことを特徴とする請求項６又は７に記載の腕時計。
【請求項１０】
前記導電体（６、７）は、他と電気的に絶縁される処理をされている
ことを特徴とする請求項１〜９のいずれかに記載の腕時計。
【請求項１１】
前記磁石（９、１０、１１、１２、１３）は、その長さがその厚みの少なくとも５倍であるような磁性細長材である
ことを特徴とする請求項１〜１０のいずれかに記載の腕時計。
【請求項１２】
電池を保持するように構成しているＯリングジョイント（８）を有する
ことを特徴とする請求項１〜１１のいずれかに記載の腕時計。
【請求項１３】
前記クランプデバイスの前記磁石（９、１０、１１、１２、１３）は、当該腕時計の固定部分と一体化されている
ことを特徴とする請求項１２に記載の腕時計。
【請求項１４】
前記磁石（１２）は、前記プレート（２）に固定されている
ことを特徴とする請求項１〜１３のいずれかに記載の腕時計。
【請求項１５】
前記磁石（１２）は、ケース中間部に固定されている
ことを特徴とする請求項１〜１４のいずれかに記載の腕時計。
【発明の詳細な説明】
【技術分野】
【０００１】
本発明は、計時器の分野に関する。本発明は、特に、ボタンセル電池によってパワー供給される電子式モジュールを有する腕時計に関する。
【背景技術】
【０００２】
ほとんどの電子式腕時計は、いわゆる「ボタンセル」電池によってパワー供給されるムーブメントを有する。このようなボタンセル電池の寿命には限りがあり、したがって、定期的に交換しなければならない。電池は、一般的には、腕時計プレートに形成された円筒状のハウジングの内側に配置される。恒久的な電気接触をさせ電池を所定位置に保持するために、金属製クランプを用いて電池の側方から大きな圧力を与える。このようなクランプは、スタンピングし曲げることによって作られ、それらのクランプの幾何学的構成は、それらと連係するように意図された電池の幾何学的構成及びムーブメントに具体的に適応するようにされる。しかし、このようなクランプデバイスには、いくつかの課題がある。このようなクランプデバイスは、一般的には、同じクランプを異なる大きさの電池に利用することができない。このため、交換用電池は、元の電池とあらゆる点で同じでなければならない。製品が変わるごとに、高価なスタンピング工具を作らなければならない。このようなクランプは、比較的脆弱であり、寸法が小さいために取り扱いが難しい。電池を交換するときに、このようなクランプは、ユーザーによって偶発的に変形されたり壊されたりすることがある。電池を交換するときに、接触しなくなって、腕時計の部分的又は全体的な不具合を発生させてしまうことがある。スイス特許ＣＨ５０８９０９又はフランス特許ＦＲ２４６０４９９には、このような金属製クランプの例示的実施形態が記載されている。
【発明の概要】
【発明が解決しようとする課題】
【０００３】
本発明は、電池、特に、ボタンセル電池、によって形成されるエネルギー源のための新規なタイプのクランプデバイスを有する電子式ムーブメント又は電子式モジュールを備える腕時計を提案することによって、従来技術についての前記のような課題を克服することを目的とする。
【課題を解決するための手段】
【０００４】
このために、本発明は、プレート及び電池、特に、ボタンセルタイプの電池、によってパワー供給される電子式モジュールを有するケースと、前記電池を前記電子式モジュールに電気的に接続する導電体と、及び前記電池と前記導電体の間の電気接続を確実にするクランプデバイスとを有する腕時計に関する。本発明に独自な形態にて、前記クランプデバイスは、磁石を有する。
【０００５】
この設計には、電池交換を促進し保護し、異なる大きさの電池に適合させることができるという利点がある。
【０００６】
添付の図面を参照しながら例として示す実施形態（これに限定されない）の説明を読むことで、本発明の他の特徴及び利点も理解することができるであろう。
【図面の簡単な説明】
【０００７】
【図１】本発明に係る腕時計のムーブメントの下方からの斜視図である。
【図２】本発明に係る腕時計の１つの変形態様の断面図である。
【図３】本発明に係る腕時計の１つの変形態様の断面図である。
【図４】本発明に係る腕時計の１つの変形態様の断面図である。
【発明を実施するための形態】
【０００８】
図１に、腕時計の電子式ムーブメント又は電子式モジュールを示しており、そのプレート２には、円筒状の凹部５が設けられており、この凹部５は、伝統的にはプリント回路ボードである電子式モジュール３にパワー供給するように意図されたボタンセル電池４を収容している。切り欠き１４によって、電池をそのハウジングから取り外すことが容易になる。平型のフレキシブルケーブルの形態である導電体６は、電子式モジュール３を電池４の電極に電気的に接続するように意図されている。導電体６の第１の端６ａは、典型的にはコネクターやはんだを用いて、電子式モジュール３に接続している。導電体６の第２の端部６ｂには、目で見える導電性面があり、これは、電池４の壁４ａと接触する。電池４の第２の電極への接続を示していない。磁石１０の形態であるクランプデバイスは、強磁性体で作られている電池４の壁４ａに対向しているコネクター端部６ｂに接するように配置される。磁石１０と壁４ａの間の磁化力によって、コネクター６の端部６ｂが電池４の壁４ａに対して押され保持されることが可能になる。
【０００９】
図２は、本発明に係る腕時計の概略断面図を示しており、本発明を理解するために役立つ詳細部分のみを示しているこの腕時計は、ケース１と、及びケース１内に位置するムーブメントとを有する。ケース１においては、ケース中間部及び風防のみを示している。電子式モジュール３は、プレート２にマウントされる。電子式モジュール３は、プレートに形成された凹部５内に位置するボタンセル電池４によってパワー供給される。導電体６、７は、電池４の２つの端子を電子式モジュール３に接続する。
【００１０】
本発明の特定の実施形態によると、電池４は、凹部５の壁に設けられた溝内に配置されたＯリングジョイント８によって、凹部５内の適所に保持される。電池を保持するために、変形可能な弾性手段のような任意の他の固定手段も用いることができることは明らかである。
【００１１】
図１に示す構成に対応する第１の変形態様によると、導電体６の一方の端部６ｂが、磁石１０と電池４の間でクランプされる。端部６ｂには、好ましくは、金めっきされた、目で見える導通路があり、これは、磁石１０が与える圧力によって電池４と接するように保持される。導電体６は、平型のフレキシブルＦＦＣケーブルであるが、ワイヤーや金属製クランプであることもできる。組み立てを促進し、また、導電体６の端部６ｂが不適切な位置に配置されたり磁石１０の下に動いたりするリスクをなくすために、はんだや接着結合のような任意の手段によって、磁石１０を端部６ｂに固定することができる。
【００１２】
第２の変形態様によると、導電体７の一方の端７ｂは、磁石９に固定され、この磁石９は、磁力によって電池４の片側に固定される。この構成において、磁石９は、導電材料で作られ又は金めっきのような導電性面で被覆されて、これによって、電池４から導電体７へと電流を流す。磁石に対する導電体の固定は、好ましくは、ロボット的な「ピックアンドプレイス」はんだ付け手段によって、はんだ付けによって達成される。導電体７又はその端７ｂのみが、金属製クランプによって形成される場合、磁石９をそのクランプ上にクリンプすることもできる。導電体７の他方の端７ａは、はんだ又は電流を流すことを可能にする任意の他の組み立て手段によって、電子式モジュール３に接続している。
【００１３】
図３は、本発明の他の変形態様を示している。第３の変形態様によると、磁石１１は、その長さがその厚みの少なくとも５倍であるような磁性細長材である。好ましくは、磁性細長材は、フレキシブルな細長材である。厚みが薄い磁性細長材に発生する磁力の圧力が減少しても、磁化された表面積が増加するので、合計の接触力が伝統的な磁石のものと同じであるほどに、打ち消される。この種の磁石は、同じ磁化力を有する堅固な磁石と比較して、大幅に縮小されたトラクション力で、徐々にはがすことができるという利点がある。したがって、このことによって、磁石が分離されたときに導電体６が引きはがされるリスクを抑えられる。また、厚みが薄いことに起因して、磁性細長材１１を用いることによって、本発明を極めて薄い腕時計にて実装することが可能になる。
【００１４】
ここまでに示した様々な手法によって、取り外し可能なクランプデバイスが、ボタンセル電池と導電体の間の電気接続を確実にすることができる。図３及び４に示す本発明の別の有利な態様によると、任意の適切な手段によって磁石１２がプレート２に固定される。代わりに、磁石は、ケース中間部のような腕時計の別の固定された部分と一体化されていることができる。導電体６は、上記の構成の１つにおいて、電池４をモジュール３に電気的に接続する。この特定の構成において、クランプデバイスは、電池４と電子式モジュール３の間の電気接続を確実にすることに加えて、プレート２にある凹部５内の適所にボタンセル電池４を保持する。磁化力は、他の保持する手段の使用を必要とせずに電池の固定を確実にするためには、十分な大きさである。電池４の周部に圧力をかけて傾けることによって、又は切り欠き１４に適切な工具を挿入することによって、電池４を磁石１２から取り外すことができる。このようにして、腕時計における電池４の挿入及び取り外しが促進される。
【００１５】
図４に示す別の変形態様によると、磁石１３は、磁石１２に対向している電池４の側とは反対側の電池４の側に電気的に接続される電池４の側面に対向するように位置している。二面角を形成する磁石又は平行ではない面を有する２つの磁石によって、ムーブメントと平行な平面における電池４の位置合わせを行うことができる。腕時計ケースは、さらに、電池ハッチ１６を有する裏蓋１５を有する。ハッチ１６が外されて、単に凹部５内に電池４を置くことによって、電池４が適切な位置にセットされる。腕時計内のいずれの要素も扱う必要がなく、磁石１２及び１３の作用を通して、電池４の最終的な配置及び電気接続が自動的に行われる。この構成によって、電池の挿入及び接続を単純化し、腕時計が開かれたときに発生するムーブメントや導電体を損傷させてしまうリスクをなくすことができる。
【００１６】
図示した複数の変形態様において、ボタンセル電池４は、ムーブメントと平行に配置されている。しかし、ボタンセル電池４を別の向き、例えば、ムーブメントに垂直な向き、に配置することもできる。
【００１７】
電池の各電極に対して電気的にクランプするために、図示した複数の変形態様や従来技術の態様を組み合わせることができることは明らかである。具体的には、磁石を用いて電池の底部に第１のクランプを作り、弾性変形する金属製細長材を用いて電池の側面に第２の電気的なクランプを作ることができる。
【００１８】
好ましいことに、磁化力が一定であるために、本発明の磁気的クランプデバイスによって、恒久的な電気接触を達成することができ、また、接触不良のリスクをなくすことができる。このような接触不良は、従来技術のクランプにおいて時間にわたっての弾性応力の緩和によって又は電池交換時のクランプの操作ミスに起因する何らかの塑性変形によって発生する。本発明の磁気的クランプデバイスは、磁化された接触部の取り扱いを容易にして、又は電池を接続するための人の操作をなくすことによって、腕時計における電池を交換する操作を単純化し保護する。
【００１９】
ボタンセル電池は、円筒形であり、厚みや直径は可変である。電池に対する導電体のクランプが電池の表面上の磁化力によって達成されるので、このクランプは、クランプの作用を受ける側とは反対の側に対して反力が与えられるような機械的なクランプの場合のように電池の寸法に依存するということはない。好ましいことに、従来技術の解決策とは異なり、本発明の磁気的クランプデバイスによって、直径や厚みが異なる電池を使用することができる。電池を保持することができる固定磁石を備えた構成は、異なる大きさの電池を用いるために特に適している。
【００２０】
代わりに、導電体と磁石を有する同じクランプデバイスは、異なる大きさの電池を受けるように意図された異なる腕時計において用いることができる。このことによって、既存のクランプを再使用することによって、新しい腕時計を作っているときに、特定の高価な工具を使用することを抑えることができる。
【００２１】
好ましいことに、本発明において用いられる導電体は、従来技術のクランプとは異なり、フレキシブルであり、他と電気的に絶縁される。その結果、ムーブメントの設計及び２つの導電体の互いに対する構成が単純化される。これらの導電体は、例えば、図３におけるように、電子式モジュールの同じ側の接近している２点にてそれぞれ容易に接続されることができ、また、追加の絶縁体を設ける必要がなく互いに近くに配線されることができる。また、電子式モジュールの位置に対して離れた位置であって独立した形態で電池を配置し、腕時計におけるあらゆる位置に電池を配置することが容易になる。
【００２２】
このように、製造コストを削減しつつ電池交換操作を促進し保護するような融通が利く電気的なクランプデバイスを搭載する電子式腕時計を提案した。
【符号の説明】
【００２３】
１  ケース
２  プレート
３  電子式モジュール
４  電池
５  凹部
６、７  導電体
８  Ｏリングジョイント
９、１０、１１、１２、１３  磁石
１４  切り欠き
１５  裏蓋
１６  電池ハッチ
【図１】
2018063244.tif 000003
【図２】
2018063244.tif 000004
【図３】
2018063244.tif 000005
【図４】
2018063244.tif 000006